(57)【要約】【課題】  セキュリティの信頼性を高めた通信装置を提供する。【解決手段】  画像データをネットワーク経由で相手先に送信する通信装置であって、相手先情報を入力し表示する操作表示手段７と、相手先への送信時に、当該相手先情報を操作表示手段７に表示するか否かオン／オフ制御するシステム制御手段４を備えた。【選択図】        図１
2006186919.tif 000002
【特許請求の範囲】
【請求項１】
画像データをネットワーク経由で相手先に送信する通信装置であって、相手先情報を入力し表示する操作表示手段と、相手先への送信時に、当該相手先情報を操作表示手段に表示するか否かオン／オフ制御するシステム制御手段を備えたことを特徴とする通信装置。
【請求項２】
請求項１記載の通信装置において、前記操作表示手段は、個人に割り振られた番号であるＰＩＮコードの入力を受け付け、前記システム制御手段は、相手先への送信時に、当該ＰＩＮコードを前記操作表示手段に表示するか否かオン／オフ制御することを特徴とする通信装置。
【請求項３】
請求項１記載の通信装置において、前記システム制御手段は、送信先情報の一部を他のキャラクターコードで置換することを特徴とする通信装置。
【請求項４】
画像データをネットワーク経由で相手先に送信する通信装置であって、相手先情報を入力し表示する操作表示手段と、相手先への送信の際、通信開始から所定の時間経過後に、当該相手先情報を前記操作表示手段に表示オフ制御するシステム制御手段を備えたことを特徴とする通信装置。
【請求項５】
画像データをネットワーク経由で相手先に送信する通信装置であって、相手先情報を入力し表示する操作表示手段と、リダイヤル時に、前記相手先情報を前記操作表示手段に表示オフ制御するシステム制御手段を備えたことを特徴とする通信装置。
【請求項６】
請求項１乃至５のいずれか一項に記載の通信装置において、前記システム制御手段は、さらに機器操作に必要なユーザ認証時に、特定された個人に関する情報に応じてユーザ認証を行うか否かオン／オフ制御することを特徴とする通信装置。
【請求項７】
請求項１乃至５のいずれか一項に記載の通信装置において、前記システム制御手段は、時間帯に応じてオン／オフ制御することを特徴とする通信装置。
【発明の詳細な説明】
【技術分野】
【０００１】
本発明は、画像データをネットワーク経由で相手先に送信する通信装置（例えばファクシミリ装置）に関する。
【背景技術】
【０００２】
表示手段を有し、自機プロッタを用いてレポート／リストを出力する機能と、予め定められた操作により電話番号等の宛先データや各種ＩＤ等を入力する手段と、入力されたデータを格納／保存するメモリと、機器を操作するために利用者を認証するセキュリティ機能と、送信・受信機能を有し、ＷＷＷ（World Wide Web）を実現するためのｈｔｔｐプロトコルとを有する通信装置（例えばファクシミリ装置）がある。
このような通信装置において、近年、セキュリティの観点から機器を容易に操作できないようにするため（例えば通りがかった社内・社外の人が勝手に印刷して用紙などの資源を使ってしまうことを防ぐため）、ユーザに機能のアクセス制限をつけたり、使用する際にはユーザ名とパスワードを入力するなどして認証を取得してから機器の操作をできるようにする等、機器に対するセキュリティ機能が市場より求められている。
このような要望に応えるため、例えば、特許文献１に示されるように、スプールメモリに蓄積されたファイルにはパスワード等のセキュリティ情報を付加し、アクセスする場合には設定されたセキュリティ情報を用いるという技術が提案されている。
又、特許文献２に示されるように、ネットワーク上にある特定の機器から、各機器にて使用できる機能をユーザ毎に設定し、セキュリティを向上させるという技術が提案されている。
【特許文献１】特開平１１−３０１０５８号公報
【特許文献２】特開２０００−３５７０６４公報
【発明の開示】
【発明が解決しようとする課題】
【０００３】
特許文献１に示される技術のように、機器内部に保持されるデータの保護もセキュリティを向上させるための手段の一つではあるが、その一方、一時的に表示されるデータに対しても保護し、セキュリティを向上させる必要がある。
一時的に表示されるデータとして、通信中表示が挙げられる。ここで表示されているデータの中で保護されるべきものは相手先情報である。相手先情報表示は直接送信を行う場合であれば原稿を送ったユーザ本人が機器の傍らにいる場合が多く、その場で第三者によって通信相手先を見られてしまうということはないが、時刻指定送信やメモリ送信失敗後における再送信など、原稿を送ったユーザ本人が機器の傍らにいない場合には第三者によって通信相手先を見られてしまう場合がある、という問題がある。
本発明は、このような不具合をなくし、セキュリティの信頼性を高めた通信装置を提供することを目的とする。
【課題を解決するための手段】
【０００４】
上記目的を達成するために、請求項１記載の発明は、画像データをネットワーク経由で相手先に送信する通信装置であって、相手先情報を入力し表示する操作表示手段と、相手先への送信時に、当該相手先情報を操作表示手段に表示するか否かオン／オフ制御するシステム制御手段を備えた通信装置を最も主要な特徴とする。
請求項２記載の発明は、請求項１記載の通信装置において、前記操作表示手段は、個人に割り振られた番号であるＰＩＮコードの入力を受け付け、前記システム制御手段は、相手先への送信時に、当該ＰＩＮコードを前記操作表示手段に表示するか否かオン／オフ制御することを特徴とする。
請求項３記載の発明は、請求項１記載の通信装置において、前記システム制御手段は、送信先情報の一部を他のキャラクタコードで置換することを特徴とする。
請求項４記載の発明は、画像データをネットワーク経由で相手先に送信する通信装置であって、相手先情報を入力し表示する操作表示手段と、相手先への送信の際、通信開始から所定の時間経過後に、当該相手先情報を前記操作表示手段に表示オフ制御するシステム制御手段を備えたことを特徴とする。
請求項５記載の発明は、画像データをネットワーク経由で相手先に送信する通信装置であって、相手先情報を入力し表示する操作表示手段と、リダイヤル時に、前記相手先情報を前記操作表示手段に表示オフ制御するシステム制御手段を備えたことを特徴とする。
請求項６記載の発明は、請求項１乃至５のいずれか一項に記載の通信装置において、前記システム制御手段は、さらに機器操作に必要なユーザ認証時に、特定された個人に関する情報に応じてユーザ認証を行うか否かオン／オフ制御することを特徴とする。
請求項７記載の発明は、請求項１乃至５のいずれか一項に記載の通信装置において、前記システム制御手段は、時間帯に応じてオン／オフ制御することを特徴とする。
【発明の効果】
【０００５】
本発明の通信装置においては、相手先への送信時に、当該相手先情報を操作表示手段に表示するか否かをオン／オフ制御するので、送信中に第三者により送信先を見られるのを防ぎ、セキュリティを向上させることができる。
また、相手先への送信時に、ＰＩＮコードを操作表示手段に表示するか否かオン／オフ制御するので、送信中に第三者によりＰＩＮコードを見られるのを防ぎ、セキュリティを向上させることができる。
また、オン／オフ制御するシステム制御手段は、送信先情報の一部をマスク（他のキャラクタコードで置換）するので、送信中に第三者により送信先やＰＩＮコードを見られるのを防ぎ、セキュリティを向上させることができる。
また、相手先への送信の際、通信開始から所定の時間経過後に、当該相手先情報を操作表示手段に表示オフ制御するので、送信操作後に機器の傍らから送信者が離れても、送信中に第三者により送信先やＰＩＮコードを見られるのを防ぎ、セキュリティを向上させることができる。
また、リダイヤル（再送信）時に、当該相手先情報を操作表示手段に表示オフ制御するので、相手先ビジーによる再送信やメモリ送信等、送信者が通信機器の傍らにいない場合、送信中に第三者により送信先やＰＩＮコードを見られるのを防ぎ、セキュリティを向上させることができる。
また、認証時に特定された個人に関する情報に応じて、ユーザ認証を行うか否かオン／オフを制御するので、個人毎に細かい設定を行うことができ、ユーザの利便性を向上させることができる。
また、時間帯に応じてオン／オフ制御するので、時刻指定送信等で夜間に送信したい場合、送信中に第三者により送信先やＰＩＮコードを見られるのを防ぎ、セキュリティを向上させることができる。
【発明を実施するための最良の形態】
【０００６】
以下、本発明の実施の形態を図面に従って説明する。
図１は本発明の通信装置としてのファクシミリ装置のブロック構成図である。本ファクシミリ装置は、原稿を読み取る読み取り部１、受信した画情報やレポート、マークシート等を記録する記録部２、画情報を符号化・復号化する符号化復号化部３、システム全体の制御を司るシステム制御部４、システム制御で使用するワークエリアであるシステムメモリ５、画情報を必要に応じて蓄積保存する画情報メモリ６を備える。
また同様に本ファクシミリ装置は、キー、ＬＥＤ、ＬＣＤ等を設けてユーザの入力操作を可能とする操作表示部７、伝送制御を司る通信制御部８、回線と通信制御の間でアナログ信号の変調／復調を行うモデム９、回線から送られてくるＤＴＭＦ信号を検出するＤＴＭＦ検出器１０、メール送受信を司るメール通信制御部１１、ネットワークと繋げるためのインターフェース（ここでは、（Network Interface Card））１２を備える。ＮＩＣ１２はネットワーク２１を介してホスト装置２２と接続される。
【０００７】
図２は通信におけるデータ非表示の流れを示すフローチャートである（その１）。また、図３は相手先名を非表示にした場合の表示例を示す図、図４は相手先名を表示した場合の表示例を示す図、図５はＰＩＮコードを非表示にした場合の表示例を示す図、図６はＰＩＮコードをマスクした場合の表示例を示す図、図７はＰＩＮコードを表示した場合の表示例を示す図である。
まず、オペレータが送信原稿をセットした後に操作表示部７上のスタートボタンを押下することにより送信動作が始まると（Ｓ１）、操作表示部７上にＰＩＮコードを表示するか否かの設定を参照し（Ｓ２）、非表示にしない設定であれば送信先とＰＩＮコードを表示し（Ｓ３：図７）、非表示にする設定であれば、ＰＩＮコードを削除して表示するか否かの設定を参照し（Ｓ４）、削除して表示する設定であれば送信先のみを表示し（Ｓ５：図５）、削除しないで表示する設定であれば送信先と（キャラクタコードでマスクされた）ＰＩＮコードを表示する（Ｓ６：図６）。
続いて通信のフェーズがＡ（Ｓ７）、Ｂ（Ｓ８）と進み、画情報を送信するフェーズＣが始まると（Ｓ９）、フェーズＢで取得した相手先情報を表示するか否かの設定を参照し（Ｓ１０）、表示禁止の設定であれば相手先情報を非表示とし（Ｓ１１：図３）、表示禁止の設定でなければ相手先情報を表示する（Ｓ１２：図４）。その後画情報を送信して通信のフェーズＣが終了し（Ｓ１３）、その後通信のフェーズがＤ（Ｓ１４）、Ｅ（Ｓ１５）と進み送信が終了する。
【０００８】
図８は通信におけるデータ非表示の流れを示すフローチャートである（その２）。また、図９は相手先情報非表示時間帯の内部登録データ例を示す図である。
まず、オペレータが送信原稿をセットした後に操作表示部７上のスタートボタンを押下することにより送信動作が始まると（Ｓ１）、通信のフェーズがＡ（Ｓ２）、Ｂ（Ｓ３）と進み、画情報を送信するフェーズＣが始まると（Ｓ４）、フェーズＢで取得した相手先情報を非表示にするタイミングか否かを判断し（Ｓ５−１）、相手先情報を非表示にするタイミングであれば相手先情報を非表示し（Ｓ６）、相手先情報を非表示にするタイミングでなければ相手先情報を表示する（Ｓ７）。
またはここで、本送信が再送信であるか否かを判断し（Ｓ５−２）、再送信であれば相手先情報を非表示し（Ｓ６）、再送信でなければ相手先情報を表示する（Ｓ７）。またはここで、現在が非表示する時間帯か否かを判断し（Ｓ５−３）、非表示する時間帯であれば相手先情報を非表示し（Ｓ６）、非表示する時間帯でなければ相手先情報を表示し（Ｓ７）、その後画情報を送信して通信のフェーズＣが終了し（Ｓ８）、その後通信のフェーズがＤ（Ｓ９）、Ｅ（Ｓ１０）と進み送信が終了する。
図９に示す、予め定められた操作により機器へ登録された操作表示部７上で表示・非表示を行うためのスケジュールのように、曜日ごとに表示・非表示の時間帯を任意に設定可能とすることにより、オペレータの利便性を向上させることができる。
図１０は通信におけるデータ非表示の流れを示すフローチャートである（その３）。まず、機器を用いて送信操作を行うために認証を確認操作を行う（Ｓ１）。認証後、オペレータが送信原稿をセットした後に操作表示部７上のスタートボタンを押下することにより送信動作が始まると（Ｓ２）、通信のフェーズがＡ（Ｓ３）、Ｂ（Ｓ４）と進む。
画情報を送信するフェーズＣが始まると（Ｓ５）、現在認証を得ている利用者に関する登録情報を機器から取得し（Ｓ６）、登録情報の中で送信時の相手先表示・非表示に関する情報を参照し（Ｓ７）、非表示にする設定であれば相手先情報を非表示し（Ｓ８）、非表示にする設定でなければ相手先情報を表示し（Ｓ９）、その後画情報を送信して通信のフェーズＣが終了し（Ｓ１０）、その後通信のフェーズがＤ（Ｓ１１）、Ｅ（Ｓ１２）と進み送信が終了する。
図１１は各通信フェーズの内容を示す説明図である。図２、図８、図１０に示すフローチャートにおける各通信フェーズＡ、Ｂ、Ｃ、Ｄ、Ｅの内容は図１１に示す通りである。
【図面の簡単な説明】
【０００９】
【図１】本発明の通信装置としてのファクシミリ装置のブロック構成図。
【図２】通信におけるデータ非表示の流れを示すフローチャート（その１）。
【図３】相手先名を非表示にした場合の表示例を示す図。
【図４】相手先名を表示した場合の表示例を示す図。
【図５】ＰＩＮコードを非表示にした場合の表示例を示す図。
【図６】ＰＩＮコードをマスクした場合の表示例を示す図。
【図７】ＰＩＮコードを表示した場合の表示例を示す図。
【図８】通信におけるデータ非表示の流れを示すフローチャート（その２）。
【図９】相手先情報非表示時間帯の内部登録データ例を示す図。
【図１０】通信におけるデータ非表示の流れを示すフローチャート（その３）。
【図１１】各通信フェーズの内容を示す説明図。
【符号の説明】
【００１０】
４  システム制御部（システム制御手段）
７  操作表示部（操作表示手段）
【図１】
2006186919.tif 000003
【図２】
2006186919.tif 000004
【図３】
2006186919.tif 000005
【図４】
2006186919.tif 000006
【図５】
2006186919.tif 000007
【図６】
2006186919.tif 000008
【図７】
2006186919.tif 000009
【図８】
2006186919.tif 000010
【図９】
2006186919.tif 000011
【図１０】
2006186919.tif 000012
【図１１】
2006186919.tif 000013